(57)【要約】【課題】  建築用型枠の建て込み性を大幅に向上させ、かつ断熱性の高い型枠兼用断熱パネルを提供する。【解決手段】  建築用の型枠兼用断熱パネルＰであって、パネル本体１と、その上面に連結される緊結バー２０とよりなり、パネル本体１は、その下面にその長手方向に間隔をあけてアッセンブリタイ４０の差込穴２が設けられ、またその打設コンクリートに接する側の面には差込穴２を覆う、破れ易い薄壁４が設けられると共にその薄壁４の位置を指示する複数の第１の筋条６が平行に鉛直方向に並設され、緊結バー２０には、薄壁４を押し破ってアッセンブリタイ４０が差込み緊結される複数の緊結孔２４が設けられる。【選択図】    図２
2006336238.tif 000002
【特許請求の範囲】
【請求項１】
建築用型枠を構築すべく、設置面上に鉛直方向に下から上へと順次に積み上げて立て込まれる型枠兼用断熱パネルであって、
硬質の断熱材により長方形の板状に形成されるパネル本体（１）と、そのパネル本体（１）の上面にその長手方向に着脱可能に連結される緊結バー（２０）とよりなり、前記パネル本体（１）は、その下部にその長手方向に間隔をあけて複数のアッセンブリタイ（４０）の差込穴（２）が設けられ、またパネル本体（１）の、打設コンクリートに接する側の面には、前記差込穴（２）の差込口（５）を覆う、破れ易い薄壁（４）が形成されると共にそれらの薄壁（４）の位置を指示するための複数条の第１の筋条（６）が平行に鉛直方向に並設され、また、前記緊結バー（２０）には、前記薄壁（４）を押し破ってアッセンブリタイ（４０）の緊結端（４１）が選択的に差込み緊結される複数の緊結孔（２４）が列設されていることを特徴とする、型枠兼用断熱パネル。
【請求項２】
前記複数の第１の筋条（６）間には、複数の第２の筋条（８）が前記第１の筋条（６）と平行に並設されていることを特徴とする、前記請求項１記載の型枠兼用断熱パネル。
【請求項３】
前記パネル本体（１）の、打設コンクリートと接しない外面には、前記アッセンブリタイ（４０）の差込穴（２）を指示するための複数の別の第１の筋条（６′）が、前記複数の第１の筋条（６）と同じ位置に設けられることを特徴とする、前記請求項１記載の型枠兼用断熱パネル。
【請求項４】
前記型枠兼用断熱パネル（Ｐ）を用いて構築される建築用型枠であって、
コンクリート打設空間（Ｓ）を存して対設される、内側型枠（Ｍｉ）および外側型枠（Ｍｏ）よりなり、それら内、外側型枠（Ｍｉ，Ｍｏ）は、いずれも設置面上に順次に建て込まれる複数の前記型枠兼用断熱パネル（Ｐ）よりなり、内側型枠（Ｍｉ）および外側型枠（Ｍｏ）のいずれか一方の型枠は、それらの他方の型枠に先行して構築されると共各段の型枠兼用断熱パネル（Ｐ）のコンクリート打設側の面に複数のアッセンブリタイ（４０）の一方の緊結端（４１）がまとめて連結され、また、他方の型枠は、各段の型枠兼用断熱パネル（Ｐ）を前記複数のアッセンブリタイ（４０）の他方の連結端に連結しながら順次に建て込むことにより構築されることを特徴とする、建築用型枠。
【発明の詳細な説明】
【技術分野】
【０００１】
本発明は、建物のコンクリート躯体を構築するための、型枠兼用断熱パネルおよびその型枠兼用断熱パネルを用いた建築用型枠に関する。
【背景技術】
【０００２】
従来、コンクリート躯体を成形するための建築用型枠の型枠パネルとして、在来の合板製のコンクリートパネル（コンパネ）に代えて、合成樹脂製の硬質断熱材よりなる型枠兼用断熱パネルを用い、コンクリート躯体の構築後に、型枠兼用断熱パネルをそのコンクリート躯体から取り外さずに、そのまま建物の断熱壁として使用するようにしたものは、既に公知（特許文献１参照）である。
【特許文献１】特開２００４−７６３９６号公報
【発明の開示】
【発明が解決しようとする課題】
【０００３】
ところで、前記従来の建築用型枠では、
コンクリートの打設空間を挟んで外側および内側の壁の型枠を構築すべく、複数枚の断熱パネルを順次に積み上げて建て込むときに、一段毎に内、外側の断熱パネル同士をアッセンブリタイにより緊結してからでないと、次の段の断熱パネルの建て込みを行なうこといができず、したがって、断熱パネルの積み上げおよびアッセンブリタイによる断熱パネルの緊結を、各段毎に繰り返す必要があるため、このような断熱パネルの建て込み方であると、
(1) 内、外側の型枠の断熱パネルの建て込み作業を、立て込まれる内、外側の断熱パネルの両側に居る二人の作業員により行なうか、あるいは一人の作業員が建て込み中の内、外側の断熱パネルの両側を交互に移動しながら建て込み作業を行なわなければならず、多くの時間と労力を要して非能率的である。
【０００４】
(2) 建て込まれた断熱パネルの内面、すなわちコンクリートの打設される側の面には、アッセンブリタイの差込み連結後の空隙や、アッセンブリタイを差込連結しない空隙が残るため、これらの空隙に、コンクリートの打設時のノロが入り込んで、型枠兼用断熱パネルの断熱性能が低下する。
【０００５】
などの課題があった。
【０００６】
本発明はかかる実情に鑑みてなされたものであり、断熱パネルを積み込んだ後に、そこに複数のアッセンブリタイをまとめて連結することにより、内、外側の断熱パネルの片積み先行を可能にし、断熱パネルの建て込み性を向上させると共に断熱パネルの差込穴内へのコンクリートのノロの入り込みを極力少なくして、断熱パネルの断熱性の低下を抑えることができるようにした、新規な型枠兼用断熱パネルを提供することを目的とする。
【０００７】
また、本発明は能率よく、低コストで構築することができる前記断熱パネルを用いた建築用型枠を提供することを目的とする。
【課題を解決するための手段】
【０００８】
上記目的を達成するために、請求項１記載の発明は、建築用型枠を構築すべく、設置面上に鉛直方向に下から上へと順次に積み上げて建て込まれる型枠兼用断熱パネルであって、硬質の断熱材により長方形の板状に形成されるパネル本体と、そのパネル本体の上面にその長手方向に着脱可能に連結される緊結バーとよりなり、前記パネル本体は、その下部にその長手方向に間隔をあけて複数のアッセンブリタイの差込穴が設けられ、またパネル本体の、打設コンクリートに接する側の面には、前記差込穴の差込口を覆う、破れ易い薄壁が形成されると共にそれらの薄壁の位置を指示するための複数条の第１の筋条が平行に鉛直方向に並設され、また、前記緊結バーには、前記薄壁を押し破ってアッセンブリタイの緊結端が選択的に差込み緊結される複数の緊結孔が列設されていることを特徴としている。
【０００９】
また、上記目的を達成するために、請求項２記載の発明は、前記請求項１記載のものにおいて、前記複数の第１の筋条間には、複数の第２の筋条が、前記第１の筋条と平行に並設されていることを特徴とする、前記請求項１記載の型枠兼用断熱パネル。
【００１０】
さらに、上記目的を達成するために、請求項３記載の発明は、前記請求項１記載のものにおいて、前記パネル本体の、打設コンクリートと接しない外面には、前記アッセンブリタイの差込穴を指示するための複数の別の第１の筋条が、前記複数の第１の筋条と同じ位置に設けられることを特徴とする、前記請求項１記載の型枠兼用断熱パネル。
【００１１】
さらにまた、上記目的を達成するために、請求項４記載の発明は、前記型枠兼用断熱パネルを用いて構築される建築用型枠であって、
コンクリート打設空間を存して対設される、内側型枠および外側型枠よりなり、それら内、外側型枠は、いずれも設置面上に順次に建て込まれる複数の前記型枠兼用断熱パネルよりなり、内側型枠および外側型枠のいずれか一方の型枠（外側型枠、あるいは内側型枠）は、それらの他方の型枠（内側型枠、あるいは外側型枠）に先行して構築されると共各段の型枠兼用断熱パネルのコンクリート打設側の面に複数のアッセンブリタイの一方の緊結端がまとめて連結され、また、他方の型枠は、各段の型枠兼用断熱パネルを前記複数のアッセンブリタイの他方の緊結端に連結しながら順次に建て込むことにより構築されることを特徴としている。
【発明の効果】
【００１２】
請求項１〜３記載の発明によれば、型枠の建て込み性を大幅に向上させ、かつ断熱性の高い型枠兼用断熱パネルを提供することができる。
【００１３】
また、本請求項４記載の発明によれば、建て込み性がよく、かつ断熱性に優れた建築用型枠を提供することができる。
【発明を実施するための最良の形態】
【００１４】
以下、本発明の実施の形態を、添付図面に例示した本発明の実施例に基づいて以下に具体的に説明する。
【００１５】
図１は、本発明型枠兼用断熱パネルを用いた建築用型枠の建て込み途中の状態を示す斜視図、図２は、型枠兼用断熱パネルを内側（コンクリート打設側）から見た斜視図、図３は、型枠兼用断熱パネルを外側（コンクリート打設側と反対側）から見た斜視図、図４は、図２の４矢視図、図５は、図４の５−５線に沿う拡大断面図、図６は、図５の６矢視仮想円囲い部分の拡大図、図７は、断熱パネルに緊結バーを差込み連結する過程を示す図６と同じ断面図、図８は、図７の８−８線に沿う断面図、図９は、図５の仮想円囲い部分の拡大図、図１０は、図９の１０−１０線断面図、図１１は、図４の１１−１１線に沿う拡大断面図、図１２は、パネルに本体に緊結バーを差込み連結する過程を示す図１１と同じ断面図、図１３は、図１の１３−１３線に沿う拡大断面図、図１４は、図１３の１４矢視仮想円囲い部分の拡大図、１５は、断熱パネルにアッセンブリタイを差込み連結する過程を示す図１４と同じ断面図である。
【００１６】
図１に示すように、建物のコンクリート躯体を成形するための壁の型枠Ｍを構成する、外側型枠Ｍｏおよび内側型枠Ｍｉは、いずれも本発明にかかる型枠兼用断熱パネルＰ…の建て込みにより構成される。
【００１７】
まず、本発明にかかる型枠兼用断熱パネルＰの構造について説明する。
【００１８】
図２，３に示すように、この型枠兼用断熱パネルＰは、パネル本体１と、このパネ本体１の上端面に着脱可能に一体に取り付けられる緊結バー２０とより構成される。
【００１９】
図２〜４に示すように、パネル本体１は、型枠兼用断熱パネルＰの主たる部分を構成しており、横に長い長方形の板材により形成されており、高断熱性があり、しかも軽量であるポリスチレン、ポリウレタンなどの硬質の発泡合成樹脂材により作られる。そして、このパネル本体１は、前記寸法に採寸、加工され、その内面１ｉ（打設コンクリートの接する側の面）および外面１ｏは、いずれも平坦面に形成される。
【００２０】
図２，４，５，９に示すように、パネル本体１の下部の内面１ｉ寄りの部分には、その長手方向に間隔をあけて複数のアッセンブリタイ４０（後述する）の一方の緊結端４１が差込み連結される行き止まりの差込穴２…が設けられる。各差込穴２は、図５，９に示すように、その下面が開口３されると共にその内面に、破れ易い薄壁４により覆われる差込口５が設けられ、この薄壁４は、後に述べるようにアッセンブリタイ４０の差込みにより容易に破れるようにされている（図１５参照）。
【００２１】
図２、４に示すように、パネル本体１の内面１ｉ（コンクリートの接する側の面）には、前記差込穴２…の位置を指示すべく、該差込穴２…の中心を通って鉛直方向に上方に延びる、細溝よりなる複数の第１の筋条６…がパネル本体１の長手方向に並設され、さらに、パネル本体１の内面には、前記第１の筋条６…と平行に複数の細溝（前記筋条よりも狭い）よりなる第２の筋条８…が並設されており、これらの第２の筋条８…は、後に述べるように、複数の型枠兼用断熱パネルＰを段積みして建て込む際の位置決めに利用される。      
【００２２】
前記複数の第２筋条８…の中心線８ｃ…は、隣り合う２本の第１筋条６，６の中心線６ｃ，６ｃ間をそれぞれ等分に分割した位置にあり、隣り合う第１筋条６の中心線６ｃと第２筋条８の中心線８ｃ間の間隔および隣り合う２本の第２筋条８，８の中心線８ｃ，８ｃ間の間隔はすべて同じである。
【００２３】
一方、図３に示すように、パネル本体１に外面１ｏ（コンクリートの接する側と反対側の面）にも、パネル本体１の内面側の第１の筋条６…および第２の筋条８…に対応する別の第１の筋条６′…および別の第２の筋条８′…が並設されているが、第１の筋条６′…の下部には、破れ易い薄壁４は存在しない。第１の筋条６…，６′…と第２の筋条８…，８′…は、外部から区別し易いように第１筋条６…，６′…の方が若干幅広に形成されている。
【００２４】
図５〜８に示すように、パネル本体１の上面には、該パネル本体１の外面１ｏ側に偏らせて、その全長にわたり上面縦スリット１０が設けられ、この上面縦スリット１０には、その長手方向に間隔をあけて複数条の抜止め用の突条１１…（図８参照）が突設されている。そして、この上面縦スリット内には、後述する緊結バー２０の下差込部分２３が抜差自在に差し込まれ、複数の突条１１…は、緊結バー２０の下差込部分２３に密に係合して該緊結バー２０の抜け出しを防止している。また、パネル本体１の上面の内側端縁には、係止凸部１２が形成され、この係止凸部１２は、緊結バー２０が上面縦スリット１０に差し込まれたときに、緊結バー２０の位置決めをする。
【００２５】
図５，９，１０に示すように、パネル本体１の下面にも前記上面縦スリット１０に対応する下面縦スリット１５が設けられ、この下面縦スリット１５にも、その長手方向に間隔をあけて複数条の抜止め用の突条１６…（図１０参照）が、突設されている。この下面縦スリット１５内には、後述する緊結バー２０の上差込部分２２が抜差自在に差し込まれて、複数の突条１６…は、緊結バー２０の上差込部分２２に密に係合して該緊結バー２０の抜け出しを防止している。
【００２６】
また、図２に示すように、パネル本体１の左右両端面には、その外側寄りに偏らせてその全長にわたり端面縦スリット１８，１８が設けられ、この端面縦スリット１８，１８にもその長手方向に間隔をあけて複数条の抜止め用の突条１９…（図１１，１２参照）が突設されている。これらの端面縦スリット１８，１８には、パネル本体１，１同士を一体に接続するための接続バー３０の左、右差込部分３２，３３が抜差自在に差し込まれる。
【００２７】
図２，３，６，７に示すように、パネル本体１の上面に着脱可能に一体に取り付けられる緊結バー２０は、硬質の合成樹脂材により断面Ｔ字状に形成され、略水平な連結部分２１と、その連結部分２１の一側から上下方向に直角に延びる上、下差込部分２２，２３とより構成される。前記連結部分２１には複数の緊結孔２４…が穿設されており、これらの緊結孔２４…の中心間の間隔は、前記第１、２筋条６，８間の中心線６ｃ，８ｃの間隔と等しくしてある。
【００２８】
図６，７に最も明瞭に示すように、緊結バー２０の上、下差込部分２２，２３は、何れも先端に行くにつれて若干先細りに形成されていて、それらの先部内面には、鋸歯状の抜止め突起２２ｅ，２３ｅがそれぞれ形成されている。
【００２９】
緊結バー２０の連結部分２１はパネル本体１の上面に着座され、またその上、下差込部２２，２３は、上下に積み込まれるパネル本体１，１の下、上面縦スリット１５，１０にそれぞれ差し込まれる。このとき、緊結バー２０の上、下差込部分２１，２２は、パネル本体１の上、下面縦スリット１０，１５に形成した複数の突条１１…，１６…に密に係止されて、緊結バー２０のパネル本体１からの抜け出しが防止され、接着剤などの固着手段に依存しなくいても済む。
【００３０】
図２，３に示すように、緊結バー２０の長さは、パネル本体１の長さよりも短く形成されており、このパネル本体１に緊結バー２０を連結した状態では、パネル本体１の左右両端には、緊結バー２０の存在しない接続端部１ｊ，１ｊが形成される。そして、これらの接続端部１ｊ，１ｊには、そこに形成される端面縦スリット１８，１８に接続バー３０の左、右差込部分３２，３３が抜き差し自在に差込み接続され、後に述べるように、上下に一列段に積み上げられた、隣り合うパネル本体１…群の端部同士は、接続バー３０を介して一体に接続される。
【００３１】
図１１，１２に示すように、前記接続バー３０は、前記緊結バー２０と同じく硬質の合成樹脂材により断面Ｔ字状に形成され、略鉛直な接続部分３１と、その接続部分３１の一側から左右方向に直角に延びる左、右差込部分３２，３３とより構成される。そして、それらの差込部分３２，３３には、抜止め用の突起３２ｅ，３３ｅがそれぞれ突設されている。しかして、この接続バー３０は、前記緊結バー２０と同一材料により同形に形成されるが、緊結孔２４を有しない点で緊結バー２０と相違している。
【００３２】
図１，２に示すように、内側型枠Ｍｉおよび外側型枠Ｍｏを構築すべく、建て込まれる内、外の型枠兼用断熱パネルＰのうち、同じレベルにあって互いに対向するもの同士は、アッセンブリタイ４０により緊結される。このアッセンブリタイ４０は、カスガイ状に形成されており、その両端に略直角に屈曲する左右緊結端４１，４１を有し、これらの緊結端４１，４１は、緊結バー２０の複数の緊結孔２４…に選択的に差込み連結される。
【００３３】
つぎに、主に図１、図１３〜１５を参照して本発明にかかる型枠兼用断熱パネルＰを用いて壁の型枠Ｍを構築する仕方について説明する。
【００３４】
鉄筋Ｆの配筋された、コンクリートの打設空間Ｓを存して建て込まれる外側型枠Ｍｏと内側型枠Ｍｉを構築するにあたり、それらの片側、この実施例では、まず外側型枠Ｍｏの建て込みを、内側型枠Ｍｉに先行して行なう。すなわち、外側型枠Ｍｏの型枠兼用断熱パネルＰを、最下段より複数の中間段を経て最上段へと積み上げる。この積み上げ作業に際して、上、下の型枠兼用断熱パネルＰの積み上げ位置は、前記第２の筋条８…、８′…が目印となり、特に、型枠兼用断熱パネルＰを千鳥状に積み上げるときに、第２の筋条８…，８′…を目印とすることにより上下の型枠兼用断熱パネルＰの相対位置を精度よく位置決めして精確に積み上げることができる。
【００３５】
各上、下の型枠兼用断熱パネルＰ，Ｐは前述のように前記緊結バー２０を介して接続される。この積み上げにより、外側型枠Ｍｏが建て込まれると、その外側型枠Ｍｏの内面、すなわち打設コンクリートと接する面には、図１，１３に示すように、各型枠兼用断熱パネルＰの下部の設けられる、差込穴２の差込口５を覆う破れ易い薄壁４が外部に露出され、これらの薄壁４の位置は、第１の筋条６により外部から容易に判るように指示される。そして、図１５に示すように、アッセンブリタイ４０の緊結端４１を薄壁４を押し破って差込穴２に差し込み、これを下方に押し下げることで、それらのアッセンブリタイ４０の一方の緊結端４１を緊結バー２０の緊結孔２４に差込み連結して、図１に示すように、外側型枠Ｍｏの内面（コンクリートの打設側の面）には、積み上げられた複数の型枠兼用断熱パネルＰ…にまとめて複数アッセンブリタイ４０…の一方の緊結端４１を連結することができる。
【００３６】
図１３のように、、外側型枠Ｍｏの複数の型枠兼用断熱パネルＰにまとめて複数のアッセンブリタイ４０…を連結した後、内側型枠Ｍｏを構築するための型枠兼用断熱パネルＰの緊結孔２４に前記アッセンブリタイ４０の他方の緊結部４１を連結（前述と同じ要領にて薄壁４を押し破って、アッセンブリタイ４０の他方の緊結部４１を差込穴２を通して緊結孔２４に連結）しながら内側型枠Ｍｏの型枠兼用断熱パネルＰを一段ずつ下段から上段へと順に建て込む。
【００３７】
図１に示すように建て込まれた外側型枠Ｍｏおよび内側型枠Ｍｉの外面（コンクリート打設空間Ｓと反対側の面）には、第１の筋状６′が設けられていることにより、それらの型枠Ｍｏ，Ｍｉの外側から、それらを緊結している複数のアッセンブリタイ４０の位置を確認することができる。
【００３８】
ところで、従来では、前述したように、内、外の型枠兼用断熱パネルを建て込むのに、それらの断熱パネルを一段積み上げる毎に、両パネルをアッセンブリタイで連結しながら該断熱パネルを建て込むようにしているので、内、外の断熱パネルの両側に居る二人の作業員が建て込み作業を行なうか、あるいは一人の作業員が内、外断熱パネルの両側を交互に移動しながら建て込み作業をしなればならず非能率的であったが、この実施例では、前述のよう片側、すなわち外、内側型枠Ｍｏ、Ｍｉの何れか一方を先行して建て込み、その建て込んだ片側の型枠（外側型枠Ｍｏあるいは内側型枠Ｍｉ）の型枠兼用断熱パネルＰ…にまとめて多数のアッセンブリタイ４０…を緊結して、その後で、他方の型枠（内側型枠Ｍｉあるいは外側型枠Ｍｏ）の型枠兼用断熱パネルＰ…をアッセンブリタイ４０…で緊結しながら建て込むことができるので、一人の作業員が型枠の内外を移動することなく、それらの型枠Ｍｏ、Ｍｉの建て込み作業を行なうことができ、その作業能率を著しく高めることができる。
【００３９】
以上のようにして、外、内側の型枠Ｍｏ，Ｍｉの建て込みが完了したら、それら間のコンクリート打設空間Ｓにコンクリートが打設される。このとき、型枠兼用断熱パネルＰの差込穴２の薄壁４はアッセンブリタイ４０の緊結端４１で押し破られたにせよ、なお、その差込口５の大部分は薄壁４により覆われており、その差込口５の隙間は僅かであるので、コンクリート打設時に、アッセンブリタイ４０の差し込まれた差込穴２内にノロが侵入するのを極力抑えることができ、またアッセンブリタイ４０の差し込まれない差込穴２には、ノロが入り込むことが全くないので、ノロの侵入により型枠兼用断熱パネルＰの断熱性能の低下を招くことがない。
【００４０】
以上のようにして、外側および内側型枠Ｍｏ，Ｍｉ間のコンクリート打設空間Ｓにコンクリートが打設されてコンクリート躯体が構築されるが、コンクリート躯体の構築後は、前記外側および内側型枠Ｍｏ，Ｍｉは取り外さずにそのまま建物の断熱壁として利用される。
【００４１】
なお、この実施例によれば、外、内側型枠Ｍｏ，Ｍｉ，の内面は平坦面であり、しかもコンクリート打設空間Ｓには、緊結部材であるアッセンブリタイ４０の棒状部分しか存在しないことにより緊結部材のボリュウムを低減してコンクリート躯体の断面欠損を抑え、よって、コンクリートの打設性に優れ、かつジャンカなどの発生しない高強度のコンクリート躯体を構築することができる。
【００４２】
また、この実施例によれば、内、外側型枠Ｍｉ，Ｍｏの従来どおりの建て込み方も可能である。
【００４３】
以上、本発明の実施例について説明したが、本発明はその実施例に限定されることなく、本発明の範囲内で種々の実施例が可能である。
【００４４】
たとえば、前記実施例では、外側型枠Ｍｏを、内側型枠Ｍｉに先行して建て込む場合について説明したが、内側型枠Ｍｉを、外側型枠Ｍｏに先行して建て込むようにしてもよい。
【図面の簡単な説明】
【００４５】
【図１】本発明型枠兼用断熱パネルを用いた建築用型枠の建て込み途中の状態を示す斜視図
【図２】型枠兼用断熱パネルを内側（コンクリート打設側）から見た斜視図
【図３】型枠兼用断熱パネルを外側（コンクリート打設側と反対側）から見た斜視図
【図４】図２の４矢視図
【図５】図４の５−５線に沿う拡大断面図
【図６】図５の６矢視仮想円囲い部分の拡大図
【図７】断熱パネルに緊結バーを差込み連結する過程を示す図６と同じ断面図
【図８】図７の８−８線に沿う断面図
【図９】図５の仮想円囲い部分の拡大図
【図１０】図９の１０−１０線断面図
【図１１】図４の１１−１１線に沿う拡大断面図
【図１２】パネルに本体に緊結バーを差込み連結する過程を示す図１１と同じ断面図
【図１３】図１の１３−１３線に沿う拡大断面図
【図１４】図１３の１４矢視仮想円囲い部分の拡大図
【図１５】断熱パネルにアッセンブリタイを差込み連結する過程を示す図１４と同じ断面図
【符号の説明】
【００４６】
１・・・・・・パネル本体
２・・・・・・差込穴
４・・・・・・薄壁
５・・・・・・差込口
６，６′・・・第１の筋条
８・・・・・・第２の筋条
２０・・・・・・緊結バー
２４・・・・・・緊結穴
４０・・・・・・アッセンブリタイ
４１・・・・・・緊結端
Ｍｏ・・・・・・外側型枠
Ｍｉ・・・・・・内側型枠
Ｐ・・・・・・型枠兼用断熱パネル
Ｓ・・・・・・コンクリート打設空間
【図１】
2006336238.tif 000003
【図２】
2006336238.tif 000004
【図３】
2006336238.tif 000005
【図４】
2006336238.tif 000006
【図５】
2006336238.tif 000007
【図６】
2006336238.tif 000008
【図７】
2006336238.tif 000009
【図８】
2006336238.tif 000010
【図９】
2006336238.tif 000011
【図１０】
2006336238.tif 000012
【図１１】
2006336238.tif 000013
【図１２】
2006336238.tif 000014
【図１３】
2006336238.tif 000015
【図１４】
2006336238.tif 000016
【図１５】
2006336238.tif 000017